【手続補正書】
【提出日】平成22年11月5日(2010.11.5)
【手続補正１】
【補正対象書類名】明細書
【補正対象項目名】００３６
【補正方法】変更
【補正の内容】
【００３６】
係止受機構５４では、モータユニットハウジング４６に係止ピン挿通孔５９が貫通形成されている。係止ピン挿通孔５９の内側には、接続分離軸方向に延びている係止受部としての円筒状の内筒６１が配設されている。内筒６１は、軸方向外端側の外側太外径部と、軸方向中間の中間細内径部と、軸方向内端側の内側太内径部とを有する。内筒６１の外側太外径部はモータユニットハウジング４６に固定されている。モータユニット２９に対して操作ユニット３６を接続分離軸方向に移動させることにより、係止ピン挿通孔５９を介して、内筒６１に操作ユニット側接続部３８の係止ピン５３が挿抜自在である。内筒６１に完全に挿入された場合の係止ピン５３の軸方向内側の位置を接続位置と称する。
【手続補正２】
【補正対象書類名】明細書
【補正対象項目名】００４５
【補正方法】変更
【補正の内容】
【００４５】
図３Ａから図３Ｂ、図４Ａから図４Ｂを参照し、モータユニット２９に操作ユニット３６を接続する際には、モータユニット２９に対して操作ユニット３６を接続分離軸方向に接近させていく。この結果、操作ユニット側接続部３８のプラグ４３がモータユニット側接続部３７のレセプタクル４８に挿入され、接続される。この際、レセプタクル４８のワイパー５２によって、プラグ４３の表面の水滴が除去される。同時に、操作ユニット側接続部３８の係止ピン５３がモータユニット側接続部３７の内筒６１へと接続位置まで挿入されていく。この際、係止ピン５３の外側細外径部が止筒６４の外側細外径部に内挿され、係止ピン５３のピン駆動面５６が止筒６４の止筒駆動面６９に当接され、係止ピン５３によって止筒６４が内側弾性部材６７の付勢に抗して分離位置から軸方向内向きに接続位置まで移動される。そして、止筒６４の外側細外径部が内筒６１の中間細内径部から抜去されて、止筒６４の止筒保持面６８による鋼球６３の退避位置での保持が解除される。止筒保持面６８による鋼球６３の保持が解除され、続いて、係止ピン５３が接続位置に配置されると、外側弾性部材６６による付勢により、外筒７１が軸方向外向きに移動されて、外筒７１の外筒付勢面７３によって鋼球６３が退避位置から径方向内向きに係合位置へと移動されて係合受部５７に係合され、外筒７１が接続位置まで移動されて、外筒７１の外筒保持面７４によって鋼球６３が係合位置に保持される。なお、外筒７１が分離位置から軸方向外向きに接続位置まで移動されることにより、外筒腕部８３の外筒駆動面８４においてボタンシャフト７８のシャフト駆動面８２が摺動されて、ボタンシャフト７８が分離位置から径方向外向きに接続位置まで移動され、リリースボタン７６が接続位置に配置される。このようにして、係止ピン５３が係止受機構５４に係止される。また、内筒６１に係止ピン５３が挿入されるのと同時に、モータユニット側接続部３７のピン受部８８に操作ユニット側接続部３８の規制ピン８６が挿入される。
【手続補正３】
【補正対象書類名】明細書
【補正対象項目名】００５７
【補正方法】変更
【補正の内容】
【００５７】
第２の係止受機構５４ｂでは、モータユニットハウジング４６に第２の係止ピン挿通孔５９ｂが貫通形成されている。第２の係止ピン挿通孔５９ｂの内側には、ホルダ部材８９によって形成され、接続分離軸方向に延びている係止受部としての円筒状の第２の内筒部６１ｂが配設されている。第２の内筒部６１ｂは、軸方向外側の外側細外径部と、軸方向中間の中間太外径部と、軸方向内側の内側細外径部と、を有する。外側細外径部は第２の係止ピン挿通孔５９ｂに内嵌固定されており、中間太外径部の軸方向外端面はモータユニットハウジング４６の内面に固定されている。モータユニット２９に対して操作ユニット３６を接続分離軸方向に移動させることにより、第２の内筒部６１ｂに操作ユニット側接続部３８の第２の係止ピン５３ｂが挿抜自在である。第２の内筒部６１ｂに完全に挿入された場合の第２の係止ピン５３ｂの軸方向内側の位置を接続位置と称する。第２の内筒部６１ｂの内側細外径部には、複数の第２の収容孔６２ｂが径方向に穿設されている。第２の収容孔６２ｂには、第１の鋼球６３ａと同様に、係合部材としての第２の鋼球６３ｂが径方向に摺動自在に収容されている。第１実施形態と同様に、第２の係止ピン５３ｂが接続位置に配置されている場合には、第２の収容孔６２ｂの径方向内端側に第２の係止ピン５３ｂの第２の係合受部５７ｂが整列され、第２の係合受部５７ｂに第２の鋼球６３ｂが係脱自在となる。第２の鋼球６３ｂは、第２の係合受部５７ｂに係合される径方向内側の係合位置と、第２の係合受部５７ｂとの係合が解除される径方向外側の分離位置とに配置可能である。
【手続補正４】
【補正対象書類名】明細書
【補正対象項目名】００６１
【補正方法】変更
【補正の内容】
【００６１】
さらに、電動湾曲内視鏡２１では、プラグ防護機構が形成されている。即ち、接続分離軸方向について、第１及び第２の係止ピン５３ａ，５３ｂの突出長はプラグ４３の突出長よりも長くなっており、第１及び第２の係止ピン５３ａ，５３ｂによってプラグ４３が防護されている。
【手続補正５】
【補正対象書類名】明細書
【補正対象項目名】００７４
【補正方法】変更
【補正の内容】
【００７４】
回転規制機構について、操作ユニット側接続部３８において、規制部材としての第１の係止ピン５３ａの内側太外径部に、規制部としての一対のリブ９２が形成されている。一対のリブ９２は、径方向外向きに突出し、係止ピン５３の軸方向に延び、係止ピン５３の中心軸に対して互いに対称に配置されている。一方、モータユニット側接続部３７において、規制受部材としての内筒６１の外側細外径部には、内筒６１の軸方向に延び、内筒６１の中心軸に対して互いに対称な、一対のスリット９３が形成されている。また、内筒６１の外側太外径部の内周面には、一対のスリット９３に連続して、内筒６１の軸方向に延びている一対の溝９４が形成されている。一対のスリット９３及び溝９４によって、規制受部としての一対の規制溝部９６が形成されている。係止ピン５３が内筒６１に挿抜される場合には、係止ピン５３の一対のリブ９２は内筒６１の一対の規制溝部９６に夫々挿抜され、一対のリブ９２は一対の規制溝部９６において軸方向に摺動自在である。係止ピン５３が内筒６１に挿入されて接続位置に配置されている場合には、係止ピン５３の一対のリブ９２は内筒６１の一対の規制溝部９６に挿入されており、係止ピン５３の中心軸を中心とする一対のリブ９２の回転が規制溝部９６の両側面によって規制されるため、係止ピン５３の回転が規制される。このようにして、接続分離軸を中心とするモータユニット２９に対する操作ユニット３６の回転が規制される。
【手続補正６】
【補正対象書類名】明細書
【補正対象項目名】００７９
【補正方法】変更
【補正の内容】
【００７９】
係止受機構５４では、モータユニット側接続部３７において、モータユニットハウジング４６に、係止ピン挿通孔５９が貫通形成されている。係止ピン挿通孔５９の内側には、接続分離軸方向に延びている係止受部としての円筒状のピンホルダ９７が配設されている。ピンホルダ９７は、軸方向外側の外側細外径部と、軸方向中間の中間太外径部と、軸方向内側の内側細外径部と、を有する。外側細外径部は係止ピン挿通孔５９に内嵌固定されており、中間太外径部の軸方向外端面はモータユニットハウジング４６の内面に固定されている。モータユニット２９に対して操作ユニット３６を接続分離軸方向に移動させることにより、係止ピン挿通孔５９を介して、ピンホルダ９７に操作ユニット側接続部３８の係止ピン５３が挿抜自在である。ピンホルダ９７に完全に挿入された場合の係止ピン５３の軸方向内側の位置を接続位置と称する。
【手続補正７】
【補正対象書類名】明細書
【補正対象項目名】００８２
【補正方法】変更
【補正の内容】
【００８２】
モータユニットハウジング４６には、解除機構としてのリリースボタン７６が突設されている。リリースボタン７６は、ピンホルダ９７の径方向に摺動自在であり、径方向外側の接続位置と径方向内側の解除位置とに配置される。即ち、リリースボタン７６のボタンキャップ７７は、ピンホルダ９７の径方向に突没自在に配設されている。ボタンキャップ７７の径方向内端部には、シャフト部１０４が径方向内向きに突設されている。リリースボタン７６が接続位置にある場合には、シャフト部１０４の内端部は、係合位置にある抜止部材９９の軸方向内端部の径方向外側に当接されている。リリースボタン７６を径方向内向きに解除位置まで移動させる場合には、シャフト部１０４によって抜止部材９９の軸方向内端部が径方向内向きに押圧されて移動され、抜止部材９９が解除位置まで回動される。操作ユニット側接続部３８の係止ピン５３が接続位置に配置されており、抜止部材９９が解除位置に配置される場合には、係止ピン５３の係合受部５７と抜止部材９９の抜止爪部１０２との係合が解除される。
【手続補正８】
【補正対象書類名】明細書
【補正対象項目名】００８４
【補正方法】変更
【補正の内容】
【００８４】
モータユニット２９に操作ユニット３６を接続する場合には、モータユニット２９に対して操作ユニット３６を接続分離軸方向に接近させていく。この結果、操作ユニット側接続部３８の係止ピン５３は、モータユニット側接続部３７の係止ピン挿通孔５９を介して、ピンホルダ９７に挿入されていく。この際、係止ピン５３のピン退避面５８によって、抜止部材９９の抜止爪部１０２が押圧されて径方向外向きに移動され、抜止部材９９が退避位置まで回動されて、係止ピン５３が接続位置へと挿入されていく。係止ピン５３が接続位置に配置されると、弾性部材９１の付勢により、抜止部材９９の抜止爪部１０２が係止ピン５３の係合受部５７に係合される。このようにして、係止ピン５３が係止受機構５４に係止され、モータユニット２９に対して操作ユニット３６が接続分離軸方向に対して係止される。
【手続補正９】
【補正対象書類名】明細書
【補正対象項目名】００８５
【補正方法】変更
【補正の内容】
【００８５】
モータユニット２９から操作ユニット３６を分離する場合には、リリースボタン７６を押下操作する。この結果、リリースボタン７６のシャフト部１０４によって、抜止部材９９の軸方向内端部が径方向内向きに押圧されて移動され、抜止部材９９が解除位置まで回動され、係止ピン５３の係合受部５７と抜止部材９９の抜止爪部１０２との係合が解除される。このようにして、ピンホルダ９７から係止ピン５３が抜去可能となり、モータユニット２９から操作ユニット３６を分離可能となる。続いて、モータユニット２９に対して操作ユニット３６を接続分離軸方向に離間させていき、モータユニット２９から操作ユニット３６を分離する。
【手続補正１０】
【補正対象書類名】明細書
【補正対象項目名】００９１
【補正方法】変更
【補正の内容】
【００９１】
本変形では、回転規制機構として、規制部としての四角柱状の係止ピン５３、規制受部としての四角筒状のピンホルダ９７が用いられる。四角筒状のピンホルダ９７に四角柱状の係止ピン５３を挿入することにより、係止ピン５３の中心軸を中心とするピンホルダ９７に対する係止ピン５３の回転が規制され、モータユニット２９に対する操作ユニット３６の接続分離軸を中心とする回転が規制される。本変形例では、係止機構と回転規制機構とが一体化され、充分に簡単な構成となっており、部品点数の削減、コストの低減が実現されている。
【手続補正１１】
【補正対象書類名】明細書
【補正対象項目名】００９３
【補正方法】変更
【補正の内容】
【００９３】
本実施形態の電気接続機構及び係止機構では、操作ユニット側接続部３８において、プラグ４３の両幅狭側面に沿って、夫々、第１及び第２の係止ピン５３ａ，５３ｂが接続分離軸方向に延びている。第１及び第２の係止ピン５３ａ，５３ｂは、第４実施形態の係止ピン５３を中心軸に沿って二分割した形状を有する。プラグ４３の両幅狭側面に、夫々、第１及び第２の係止ピン５３ａ，５３ｂの平面部が対面されている。なお、接続分離軸方向について、第１及び第２の係止ピン５３ａ，５３ｂの突出長はプラグ４３の突出長よりも長くなっており、第１及び第２の係止ピン５３ａ，５３ｂによって防護機構が形成されている。
【手続補正１２】
【補正対象書類名】明細書
【補正対象項目名】００９４
【補正方法】変更
【補正の内容】
【００９４】
モータユニット側接続部３７において、モータユニットハウジング４６に合同挿通孔１０７が貫通形成されている。合同挿通孔１０７の内側に、連結分離方向に延びている筒状の合同ホルダ１０６が配設されている。合同ホルダ１０６の軸方向外端部は、モータユニットハウジング４６の内面に固定されている。接続分離軸方向に直交する断面において、合同ホルダ１０６の内周形状は、操作ユニット側接続部３８のプラグ４３並びに第１及び第２の係止ピン５３ａ，５３ｂの全体の外周形状に略一致している。モータユニット２９に対して操作ユニット３６を接続分離軸方向に移動させることにより、合同挿通孔１０７を介して、合同ホルダ１０６にプラグ４３並びに第１及び第２の係止ピン５３ａ，５３ｂが挿抜自在である。合同ホルダ１０６に完全に挿入された場合のプラグ４３並びに第１及び第２の係止ピン５３ａ，５３ｂの軸方向内側の位置を接続位置と称する。合同ホルダ１０６の軸方向内端側は中実となっており、図示しないレセプタクル接点が配設されている。
【手続補正１３】
【補正対象書類名】明細書
【補正対象項目名】００９６
【補正方法】変更
【補正の内容】
【００９６】
また、回転規制機構について、プラグ４３並びに第１及び第２の係止ピン５３ａ，５３ｂの全体によって規制部材が形成されており、第１及び第２の係止ピン５３ａ，５３ｂによって規制部が形成されている。一方、合同ホルダ１０６によって規制受部材が形成されており、合同ホルダ１０６の両側部内面によって規制受部が形成されている。そして、接続分離軸を中心とする第１及び第２の係止ピン５３ａ，５３ｂの回転が合同ホルダ１０６の両側部内面によって夫々規制されることにより、接続分離軸を中心とするモータユニット２９に対する操作ユニット３６の回転が規制される。